(57)【特許請求の範囲】
【請求項１】
衛生用品用のパッケージングユニット(1;301)であって、前記パッケージングユニットが、長手方向(L)および短手方向(T)を有するシートの材料から作成され、前記シートが、内面(2;302)および外面(3;303)を有し、前記内面(2;302)が、前記パッケージングユニットを閉じるための再密封可能な接着剤(12)が設けられたエッジ部(4'、6、8;304、306、305'、307)を含むエッジ帯(4)を含み、前記シートが、長手方向の中心線(L1)および少なくとも1つの短手方向に延在する折り畳み軸(9;309、309')を有し、前記折り畳み軸が(9;309)が、前記シートを第1の領域(10;310)および第2の領域(11;311)に分割し、前記シートが、前記第1の領域(10;310)および前記第2の領域(11;311)が重なり合った構成で、前記少なくとも1つの折り畳み軸(9;309、309')に沿って折り畳まれ、それにより重なり合ったシート層のパッケージングユニット(1;301)を提供する、パッケージングユニットにおいて、シート状に形成されたタブ(13;313)が、前記第1の領域(10;310)のエッジ部(4';304)および少なくとも部分的に前記中心線(L1)に沿って配置されており、前記タブ(13;313)が、前記パッケージングユニットを閉じるための何らかの接着剤を有しない2つの主要な面(16、17;316、317)を有し、前記タブ(13;313)のタブ基部(B)から外側エッジ(18;318)までの前記中心線(L1)に沿うまたはそれと平行な前記タブ(13;313)の伸長(A)が、0.5cm以上となるように、前記シート状に形成されたタブ(13;313)が、前記エッジ部(4';304)から長手方向に延在し、前記タブ基部(B)が、前記パッケージングユニットを閉じるために、前記再密封可能な接着剤(12)を含む前記第1の領域(10;310)の一部から接着剤のない面を有する前記タブ(13;313)を長手方向に分割する短手方向線(B)であり、どちらかの再密封可能な接着剤(12)に対して、前記タブ基部(B)が接触点を有しており、前記第1の領域(10;310)が、前記折り畳まれたパッケージングユニット(1;301)の外側層を形成し、前記シート状に形成されたタブ(13;313)が、前記
折り畳まれたパッケージングユニットの前記重なり合ったシート層によって画定されたエッジから外側に突出したタブ部を含むことを特徴とするパッケージングユニット。
【請求項２】
前記シートの材料が実質的に長方形であり、長手方向エッジ部(14、15;314、315)および短手方向エッジ部(4'、4";304)を含み、前記シート状に形成されたタブ(13;313)が、前記短手方向エッジ部(4'、4";304)のうちの1つに配置されている、請求項1に記載のパッケージングユニット。
【請求項３】
前記シートが2つの折り畳み軸(309、309')を有し、前記シートを前記第1の領域(310)、前記第2の領域(311)、および第3の領域(312)に分割する、請求項2に記載のパッケージングユニット。
【請求項４】
前記シートが、前記第1の領域(310)、前記第2の領域(311)、および前記第3の領域(312)が3層の重なり合った構成で、前記折り畳み軸(309、309')に沿って折り畳まれている、請求項3に記載のパッケージングユニット。
【請求項５】
短手方向エッジ部(4')が、前記タブ基部(B)が接触している前記パッケージングユニット(1;301)を閉じるための前記再密封可能な接着剤(12)を含む、請求項1から4のいずれか一項に記載のパッケージングユニット。
【請求項６】
前記タブ基部(B)から前記タブ(13;313)の外側エッジ(18;318)までの前記タブ(13;313)の最大伸長が、実質的に前記中心線(L1)に沿っている、請求項1から5のいずれか一項に記載のパッケージングユニット。
【請求項７】
前記シート状に形成されたタブ(13;313)が舌状形をしており、前記舌状形の先端部が前記中心線(L1)に近接してまたは中心線(L1)に配置されている、請求項1から6のいずれか一項に記載のパッケージングユニット。
【請求項８】
前記シートが一重の材料である、請求項1から7のいずれか一項に記載のパッケージングユニット。
【請求項９】
前記一重の材料が、ポリオレフィン、好ましくは、ポリエチレンおよび/もしくはポリプロピレンを含む、または、ポリエチレンおよび/もしくはポリプロピレンである、ポリオレフィン材料、より好ましくは、14〜30g/m2の基本重量を有するポリエチレンおよび/またはポリプロピレン材料である、請求項8に記載のパッケージングユニット。
【請求項１０】
前記タブ(13;313)が前記シートと一体的に作成される、請求項1から9のいずれか一項に記載のパッケージングユニット。
【請求項１１】
再密封可能な接着剤(12)の部分および接着剤を有しない部分のチェス盤模様が、折り畳まれたパッケージングユニットにおいて、再密封可能な接着剤(12)の部分と接着剤を有しない部分との相補的接着のために、各エッジ帯(4)に沿って形成される、請求項1から10のいずれか一項に記載のパッケージングユニット。
【請求項１２】
前記シートおよび/もしくはタブ(13;313)が、不透明であり、ならびに/または、印刷および/もしくは触知できる指示を含んでいる、請求項1から11のいずれか一項に記載のパッケージングユニット。
【請求項１３】
前記タブ(13;313)がエンボス加工されている、請求項12に記載のパッケージングユニット。
【請求項１４】
前記再密封可能な接着剤(12)が感圧ホットメルト接着剤である、請求項1から13のいずれか一項に記載のパッケージングユニット。
【請求項１５】
前記パッケージングユニット(1;301)が再密閉可能である、請求項1から14のいずれか一項に記載のパッケージングユニット。
【請求項１６】
衛生用品用のパッケージングユニットを作成する方法であって、前記パッケージングユニットが、長手方向(L)および短手方向(T)を有するシートの材料から作成され、前記方法が、
a.前記材料のシートを提供するステップであって、前記シートが内面(2;302)および外面(3;303)を有し、前記内面(2;302)がエッジ帯(4)を含む、ステップと、
b.前記エッジ帯(4)のエッジ部(4'、6、8;304、306、305'、307)に再密封可能な接着剤(12)を提供するステップと、を含み、
前記シートが、長手方向の中心線(L1)および少なくとも1つの短手方向に延在する折り畳み軸(9;309、309')を有し、前記折り畳み軸(9;309)が、前記シートを第1の領域(10;310)および第2の領域(11;311)に分割し、シート状に形成されたタブ(13;313)が、前記第1の領域(10;310)のエッジ部(4';304)および少なくとも部分的に前記中心線(L1)に沿って配置されており、前記タブ(13;313)が、前記パッケージングユニットを閉じるための何らかの接着剤(12)を有しない2つの主要な面(16、17;316、317)を有し、前記タブ(13;313)のタブ基部(B)から前記タブ(13;313)の外側エッジ(18;318)までの前記中心線(L1)に沿うまたはそれと平行な前記タブ(13;313)の伸長(A)が、0.5cm以上となるように、前記シート状に形成されたタブ(13;313)が、前記エッジ部(4';304)から長手方向に延在し、前記タブ基部(B)が、前記パッケージングユニット(1;301)を閉じるために、前記再密封可能な接着剤(12)を含む前記第1の領域の一部から接着剤のない面(16、17;316、317)を有する前記タブ(13;313)を長手方向に分割する短手方向線(B)であり、どちらかの再密封可能な接着剤(12)に対して、前記タブ基部(B)が接触点を有しており、
前記方法が、前記第1および第2の領域(10、11;310、311)が重なり合った構成で、前記少なくとも1つの折り畳み軸(9;309、309')に沿って前記シートを折り畳むステップであって、それにより重なり合ったシート層のパッケージングユニット(1;301)を提供する、ステップをさらに含み、
前記第1の領域(10;310)が、前記折り畳まれたパッケージングユニット(1;301)の外側層を形成し、前記シート状に形成されたタブ(13;313)が、前記折り畳まれたパッケージングユニットの前記重なり合ったシート層によって画定されたエッジから外側に突出したタブ部を含む、方法。
【請求項１７】
衛生用品用に前記作成されたパッケージングユニットが、請求項1から15のいずれか一項で定義されたパッケージングユニット(1;301)である、請求項16に記載の方法。
【発明の詳細な説明】
【技術分野】
【０００１】
本発明は、衛生用品用のパッケージングユニットに関する。本発明はまた、シートの材料から衛生用品用のパッケージングユニットを作成する方法に関する。
【背景技術】
【０００２】
生理用ナプキンおよびパンティライナーなど、使い捨て型の衛生用品は通常、たとえば、簡易包装または個包装の状態で個別に包装されている。個別包装により、今後使用する衛生用品を1つ、たとえばハンドバッグに入れて衛生的に携行することが容易になる。個別包装のエッジは、超音波溶着または熱溶着などによって密封することができる。さらに、パッケージングユニットが、未使用の衛生用品を包装するための、および使用済みの衛生用品を処分するための手段としてしばしば使用される。
【０００３】
この種の使用済みの衛生用品を、個別的にかつ衛生的に処分できることが望ましい。このことは、使用者が使用済みの衛生用品を交換したあと直ちにその使用済みの衛生用品を処分することができないとき、たとえばトイレ内に使用可能なゴミ入れがないときに特に重要である。この場合には、使用者は、その使用済みの衛生用品を、たとえばハンドバッグまたはバックパックに入れる必要があり、このため、汚れや臭気を避けるために、パッケージを十分に密封する必要がある。
【０００４】
新しい未使用の衛生用品のパッケージング、および使用済みの衛生用品の安全かつ衛生的な処分のためのパッケージングの両方に使用可能な個包装を提供するという問題を解決するために、「ポスト・イット（登録商標）」のような接着用テープの使用が、個別包装のパッケージに対する密封手段として有用であると示されてきた。
【０００５】
WO2013/162430A1は、新しい未使用の衛生用品のパッケージング、および使用済みの衛生用品の安全かつ衛生的な処分のためのパッケージングの両方に使用可能な個包装形式のこのようなパッケージングユニットを開示している。このパッケージングユニットは、パッケージングユニットを閉じて密封するために、ある種のチェス盤模様で接着用テープが設けられたシート形式をしている。
【０００６】
さらに、シートは方眼の形状をしており、その結果、このようなシートのコーナーは、容易に開けられるように保持部分を形成するために、接着剤を使用せずに作成される。
【０００７】
前記従来技術のパッケージングユニットは、使用済みの衛生用品だけでなく未使用の衛生用品に対する信頼性があり衛生的なパッケージングを提供するという問題をある程度解決することができるが、新しい未使用の衛生用品に関してパッケージを容易に開けるのが困難であり、その後、使用済みの衛生用品を処分するために挿入し、パッケージを処分するために適切に再密封することが困難であるという、パッケージングユニットの取扱いの問題が依然としてある。
【０００８】
したがって、使用時に取扱いが容易であり信頼性のあるパッケージングユニットを提供するために、パッケージングユニットをさらに改良する必要が依然としてある。
【先行技術文献】
【特許文献】
【０００９】
【特許文献１】WO2013/162430A1
【発明の概要】
【発明が解決しようとする課題】
【００１０】
既知のパッケージングユニットに鑑み、本発明の一目的は、新しい未使用の衛生用品および使用済みの衛生用品を携行するための、使用時に信頼性がある一方、容易な取扱いを可能とする改良されたパッケージングユニット構成を提供することである。
【課題を解決するための手段】
【００１１】
本目的は、添付の請求項1によるパッケージングユニットおよび添付の請求項18による方法によって、完全にまたは部分的に実現される。実装形態は、添付の従属請求項、以下の説明および図面において規定される。
【００１２】
その結果、長手方向(L)および短手方向(T)を有するシートの材料から作成される、衛生用品用のパッケージングユニットが提供される。シートは内面および外面を有し、その内面は、パッケージングユニットを閉じるための再密封可能な接着剤が設けられたエッジ部を含むエッジ帯を備える。シートは、長手方向中心線(L1)、および少なくとも1つの短手方向に延びる折り畳み軸を有する。折り畳み軸は、シートを第1の領域および第2の領域に分割する。シート状に形成されたタブは、第1の領域のエッジ部に中心線(L1)に少なくとも部分的に沿って配置される。タブは、パッケージングユニットを閉じるためのいかなる接着剤をも含まない2つの主要な表面を有する。シート状に形成されたタブは、タブ基部(B)からタブの外側エッジまでの中心線(L1)に沿うまたはそれと平行なタブ伸長(A)が0.5cm以上となるように、前記エッジ部から長手方向に延在する。タブ基部(B)は、パッケージングユニットを閉じるために、前記再密封可能な接着剤を含む第1の領域の一部から、接着剤のない面を有するタブを長手方向に分割する短手方向線(B)であり、どちらかの再密封可能な接着剤に対して、タブ基部(B)は接触点を有している。
【００１３】
接触点は、最も短いタブ伸長(A)を提供する再密封可能な接着剤のエッジにある。
【００１４】
パッケージングユニットはシートの形状をしており、その内部に未使用または使用済みの衛生用品を保持するとき、そのパッケージングユニットを閉じるための再密封可能な接着剤を有する個包装として使用することができる。
【００１５】
本明細書で使用される場合、「内面」という用語は、パッケージングユニットの内側に配置された製品に面したパッケージングユニットの表面を指し、「外面」という用語は、内面に対向する面、すなわち周囲に面した表面を指す。
【００１６】
「エッジ帯」という用語により、パッケージングユニットのエッジに隣接する、パッケージングユニットの部分を示す。エッジ帯の幅は可変でよい。エッジ帯は、内側エッジ帯および外側エッジ帯に分割するができる。次いで、「内側エッジ部」という用語は、パッケージングユニットの長手方向中心線および短手方向中心線に向くなど、パッケージングユニットの中心を向いて配置されたエッジ帯の部分を指す。「外側エッジ部」という用語は、パッケージングユニットのエッジを向いて配置されたエッジ帯の部分を指す。
【００１７】
本明細書で使用する「再密封可能な接着剤」は、対象物が、こうした接着剤を使用して表面に貼付され、その後、表面から剥がされて対象物および表面を多少傷つけるか全く傷つけないことが可能な、接着剤を意味する。さらに、剥がされた対象物は再度表面に接着することができる。
【００１８】
シート状に形成されたタブは、ユーザが包装をつまみその開閉を一層容易にする手段を提供するつまみタブを形成する。つまみタブは、包装を開けるためにエッジの位置を突き止め、見つけることが困難な既知の個包装およびポーチに比較して、容易につまみ、位置を突き止めることができる。
【００１９】
WO2013/162430A1は、容易に開けるためにつまみタブが形成されるように、シートのコーナー部分のうちの少なくとも1つは接着剤を使用しない場合を開示している。
【００２０】
現在では、閉じて畳まれたパッケージングを、こうしたコーナータブで開くことは困難であることが知られている。さらに、こうしたコーナータブを使用して開封することにより、開封中の負荷が不均等になるためシートの材料を傷つける恐れがある。加えて、コーナーの保持領域は、パッケージングユニットを再密封するための何ら適切な手段をもたらすことはない。ユーザは、本能的にパッケージングユニットの自由端エッジの中央部分でパッケージングを開くための何らかの手段を見つけようとするが、通常は、パッケージングを開くためのコーナーなど考えさえしない。
【００２１】
現在のパッケージングユニットは、自由端エッジの中央部分に近接した部分または中央部分につまみ面を設けるように、パッケージングユニットから外側に突出した部分に接着剤のないタブを有している。
【００２２】
再密封可能な接着剤はシートのエッジ部分に設けられ、それにより、シートを前記少なくとも1つの折り畳み軸を中心に折り畳んだとき、再密封可能な接着剤は、衛生用品が入ったパッケージングユニットを閉じる助けとなる。
【００２３】
シート状に形成されたタブ伸長(A)は、タブ基部(B)のエッジ部から外側エッジまで長手方向に0.5cm以上であり、1cm以上または2cm以上でもよい。伸長(A)は、3cm、4cm、または5cmまでよい。したがって、伸長は、たとえば0.5〜5cm、1〜4cm、または2〜3cmとすることができる。短手方向(T)におけるタブの幅はタブの形状に依存しており、タブ基部(B)とパッケージングユニットの外側エッジとの間の2つの交差点間横方向距離までとすることができる。
【００２４】
シートは、前記第1および第2の領域が重なり合った構成で、前記少なくとも1つの折り畳み軸に沿って折り畳むことができ、それにより、重なり合ったシート層のパッケージングユニットを提供することができる。
【００２５】
シートの材料は、実質的に長方形とすることができ、長手方向エッジ部および短手方向エッジ部を含み、短手方向エッジ部のうちの1つにシート状に形成されたタブを配置することができる。
【００２６】
上述したように、パッケージングユニットは少なくとも1つの第1の折り畳み軸を含む。折り畳み軸の数は、パッケージングユニットをどのように折り畳もうとするかに応じて変わり得る。パッケージングユニットが、1つから3つの間の折り畳み軸を含むのが好まれる。
【００２７】
シートは、2つの折り畳み軸を持つことができ、前記シートを第1の領域、第2の領域、および第3の領域に分割することができる。シートは、前記第1、第2、および第3の領域が3層の重なり合った構成で折り畳み軸に沿って折り畳むことができる。次いで、第1の領域は、折り畳まれたパッケージングユニットの外側層を形成し、シート状に形成されたタブは、折り畳まれたパッケージングユニットの重なり合ったシート層によって画定されたエッジから外側に突出したタブ部分を含むことができる。
【００２８】
折り畳まれたパッケージングユニットのエッジから延在するタブ部分は、自由端およびオーバーハング材料を提供し、それは接着剤を含んでおらず、既知の接着剤のない端部およびタブに比べて、ユーザの手でつかみやすい。こうしたシート状に形成されたタブ部分は、任意の他のパッケージングユニット領域に重なることはない。
【００２９】
折り畳まれたパッケージングユニットの重なり合ったシート層によって画定された、エッジからタブの外側エッジへの、中心線(L1)に沿った、またはそれに平行な長手方向タブ伸長(オーバーハング)は、0.5〜5cm、1〜4cm、または2〜3cmとすることができる。
【００３０】
当技術分野においては、本明細書に記載のタブのオーバーハングは、本種類のパッケージングユニットで使用され得る、また使用すると有益であるということは示されてこなかった。それとは反対に、当業者はこうしたオーバーハングを、傷がつくリスクが増大し、したがって、信頼性の低いパッケージングユニットを提供することになるため、考えてこなかったと思われる。現在では、こうしたオーバーハングは、本明細書に記載のパッケージングユニットを閉じるための再密封可能な接着剤と組み合わせて使用すると、実際には信頼できる製品を提供することが可能であると理解されている。
【００３１】
第1の領域の内面は、タブ基部(B)が接触するパッケージングユニットを閉じるための再密封可能な接着剤を含む内面の短手方向のエッジ部分を含むことができる。
【００３２】
これにより、再密封可能な接着手段、特に、パッケージングを閉じるために接着剤を有するタブを必要としない閉鎖手段によって、エッジの締め付けがなされる。エッジ帯部分における再密封可能な接着はまた、タブをパッケージングの開口部に正しい位置で固定させ続ける。それはタブと共に、閉じたパッケージが望ましくなく開くリスクを最小にしつつ、信頼できるとじ具を提供する。
【００３３】
再密封可能な接着剤は、短手方向に、かつ再密封可能な接着剤が接触することができるタブ基部に平行に延在することができる。
【００３４】
タブは、長方形、三角形、および舌状形など、本明細書で述べた大きさを有するつまみタブを提供するのに適した任意の形状を有してよい。
【００３５】
タブの長手方向の伸長は、中心線(L1)から短手方向に減少してもよい。シート状に形成されたタブは舌状形とすることができ、舌の形の先端は中心線(L1)の近傍、または中心線(L1)に配置される。
【００３６】
ここでは「近傍」という用語によって、シートの短手方向伸長の10%以内の中心線(L1)からの短手方向距離を示す。
【００３７】
タブ基部Bからタブの伸長までのタブの最大伸長は、中心線(L1)に沿ってよい。
【００３８】
シートはラミネート材とすることができる。「ラミネート」という用語によって、同一でも異なっていてもよい少なくとも2つの結合した分離可能なパイル材料を含む材料を表す。本発明との関連では、ラミネートは、たとえば、2つの分離可能なプラスチック膜のパイル、膜および不織布、不織布または同様な2つのパイルから構成されていてもよい。
【００３９】
シートは一重の材料でもよい。
【００４０】
「一重」という用語によって、一重の密着した材料を含むパッケージングユニットを示す。一重のパッケージングユニットの例としては、ポリエチレンフィルムなどのプラスチック膜、不織布材料、金属箔または同様なものが挙げられる。一重の材料は、統合された層を含むプラスチック膜材料、または材料の異なる部分に様々な繊維組成を有する不織布材料など、不均質材料でよい。本明細書で使用される一重の材料は、分離可能な層を有する材料を含まない。
【００４１】
一重の材料は、ポリエチレンおよび/もしくはポリプロピレンを含む、または、ポリエチレンおよび/もしくはポリプロピレンである、ポリオレフィンとすることができる。ポリエチレンおよび/またはポリプロピレンの材料は、14〜30g/m2の基本重量を有してよい。
【００４２】
タブはシートと一体的に形成することができる。
【００４３】
再密封可能な接着剤と接着剤のない部分とのチェス盤模様は、折り畳まれたパッケージングユニットの再密封可能な接着剤と接着剤のない部分との間の相補的な接着のために、シートの材料の各エッジ帯に沿って形成され得る。
【００４４】
様々なチェス盤模様の例は,以下本明細書でさらに考察する。WO2013/162430A1は、こうした模様のさらなる例を開示している。
【００４５】
シートおよび/もしくはタブは、不透明であってよく、および/または、印刷および/もしくは触知できる指示を含んでいてもよい。
【００４６】
したがって、タブはエンボス加工することができる。これにより、たとえば、触覚認識およびよりつかみやすい面のための手段が提供され、ユーザの手とタブの間の摩擦が増加する。
【００４７】
印刷は、ユーザにパッケージングユニットおよび/または衛生用品の取扱いを案内する、使用説明書または指示書とすることができる。
【００４８】
再密封可能な接着剤は、感圧ホットメルト接着剤とすることができる。このような接着剤は無限のオープン回数を提供する、その意味は、再密封可能な接着剤は、どんな時にも他の被着物に接着することができるということである。このような再密封可能な接着剤は「ポスト・イット（登録商標）」のような接着特性を提供することができる。したがって、パッケージングユニットは再び閉じることができる。
【００４９】
したがって、パッケージングユニットで使用される感圧接着剤は、非常に高い接着性を有しているが、プラスチック材料や離型剤で処理された紙など、他の材料から容易に分離され、または離すことができる。本発明によるパッケージングユニットの主な利点は、新しい衛生用品を取り出そうとするときに、完全に広げることが可能なことである。これに比較して、接着剤をコーティングしたエッジ部分が相互に接触した状態の、接着によって密封されたエッジを有する従来技術のパッケージは、非常に強い接着強度の接着によって密封されたエッジを有し、パッケージを完全に広げようとするいかなる試みも、一般に、パッケージングユニットが破れたり破損したりして、使用済みの衛生用品を個別的にかつ衛生的に処分するのに使用できないこととなる。本発明のパッケージングユニットの接着剤をコーティングしたエッジ部分は、パッケージングユニットが折り畳まれたとき相互に接触していないので、パッケージングユニットは容易に開封し再密封することができ、しっかり密封した処分パッケージを作成することができる。同時に、本発明の接着パターンを使用したパッケージングユニットの接着によって密封されたエッジの引張強度は、新しい衛生用品と使用済みの衛生用品の両方のためのしっかり密封したパッケージを提供するのに十分であり、かつ、容易に開けられるパッケージを提供するのに十分低い。
【００５０】
本発明で使用される再密封可能な接着剤は、H.B.Fullerから入手可能なLunatack(登録商標)D656 BD 19など、感圧ホットメルト接着剤とすることができる。
【００５１】
各領域における再密封可能な、接着剤に覆われたエッジ部の長さは、各領域の長さまたは幅に等しいかまたは短くてもよい。接着剤に覆われたエッジ部分の幅は、所望の接着強度に応じて変化してもよい。接着剤に覆われたエッジ帯が広いほど、密封は強くなる。再密封可能な、接着剤に覆われたエッジ部分の幅は、異なる領域において同一でも、または異なっていてもよい。
【００５２】
本発明によるパッケージングユニットを作成するシート材料は、臭気を抑制する物質または臭気を中和する物質を含むことができる。こうした物質は、たとえば、コーティング、活性化可能なマイクロカプセル(activatable microcapsules)、含浸パッチ(impregnated patches)など、当業者に知られた任意の適切な方法で塗布することができる。
【００５３】
本発明によるパッケージングユニットを作成するシートは、伸ばすことまたは拡張することが可能であると考えられるが、これは、衛生用品が使用中に大きく変形し、その結果、パッケージングユニットを変形せずに包装するのが困難である場合に、好都合であろう。
【００５４】
本発明によるパッケージングユニットが、処分のために使用されるとき、パッケージングユニットのエッジ帯における接着パターンにかかわらず、ユーザは、パッケージングユニットを折り畳む代わりに、巻き上げることを選択することが可能であることに留意されたい。この巻き上げ動作は、つまみタブを配置することによって容易となる。
【００５５】
衛生用品用のパッケージングユニットを作成する方法もまた提供される。このユニットは、長手方向(L)および短手方向(T)を有するシートの材料から作成される。この方法は、a.内面および外面を有し、前記内面がエッジ帯を含む、シートの材料を提供するステップ、および、b.エッジ帯のエッジ部に再密封可能な接着剤を提供するステップを含む。
【００５６】
シートは、長手方向中心線(L1)、および少なくとも1つの短手方向に延びる、シートを第1の領域および第2の領域に分割する折り畳み軸を有する。シート状に形成されたタブは、第1の領域のエッジ部に中心線(L1)に少なくとも部分的に沿って配置される。タブは、パッケージングユニットを閉じるためのいかなる接着剤をも含まない2つの主要な面を有する。シート状に形成されたタブは、タブ基部(B)からタブの外側エッジまでの中心線(L1)に沿うまたはそれと平行なタブ伸長(A)が0.5cm以上となるように、エッジ部から長手方向に延在する。タブ基部(B)は、パッケージングユニットを閉じるために、再密封可能な接着剤を含む第1の領域の一部から、接着剤のない面を有するタブを長手方向に分割する短手方向線(B)であり、どちらかの再密封可能な接着剤に対して、タブ基部(B)は接触点を有している。
【００５７】
シート状に形成されたタブ伸長(A)は、タブ基部(B)のエッジ部分から外側エッジまで長手方向に0.5cm以上であり、1cm以上または2cm以上でもよい。伸長(A)は、3cm、4cm、または5cmまでよい。したがって、伸長は、たとえば0.5〜5cm、1〜4cm、または2〜3cmとすることができる。
【００５８】
この方法は、第1および第2の領域が重なり合った構成で、少なくとも1つの折り畳み軸に沿ってシートを折り畳むステップをさらに含むことができ、それにより、重なり合ったシート層のパッケージングユニットを提供することができる。
【００５９】
このような折り畳まれたパッケージングユニットにおいて、タブは、本明細書で先に説明したように、本明細書で先に論じた延長寸法を有するオーバーハングを作成することができる。
【００６０】
衛生用品用に作成されたパッケージングユニットは、本明細書で先により詳細に説明し、詳細な記述で説明したパッケージングユニットとすることができる。
【００６１】
次に、本発明を、諸実装形態および諸図面を参照しながらより詳細に説明する。
【図面の簡単な説明】
【００６２】
【図１】1つの折り畳み軸を有する本発明によるパッケージングユニットを示す図である。
【図２】折り畳まれた状態の、図1に図示したパッケージングユニットを示す図である。
【図３】2つの折り畳み軸を有する本発明によるパッケージングユニットを示す図である。
【図４】折り畳まれた状態の、図3に図示したパッケージングユニットを示す図である。
【発明を実施するための形態】
【００６３】
本発明のパッケージングユニットは、シート形状をしており、未使用の衛生用品または使用済みの衛生用品をその中に入れて保持するパッケージングユニットを閉じるための再密封可能な接着剤を有する個包装として使用することができる。パッケージングユニットを閉じることは、シートを折り畳み、シートのエッジの近傍に設けられた再密封可能な接着剤によって密封された折り畳まれたシート層の間に衛生用品を密閉することを含む。
【００６４】
以下において、パッケージングユニットは、長方形のシートを含むパッケージングユニットによって例証することとする。円形のシートなど、他の形状もまた添付の特許請求の範囲内にある。さらに、例証されたパッケージングユニットは、パッケージングユニットを閉じるための再密封可能な接着剤を含んでおり、その中において、再密封可能な接着剤と接着剤のない部分のチェス盤模様が、折り畳まれたパッケージングユニット内での再密封可能な接着剤と接着剤のない部分の間の相補的な接着のために、少なくとも長手方向エッジ帯に沿って(すなわち、長手方向(L)に沿って)形成される。本発明によれば、パッケージングユニットを閉じるための、1つまたは複数の再密封可能な接着剤部分を塗布する他の方法もまた考えられ得る。
【００６５】
図1は、本発明による衛生用品用のパッケージングユニット1を図示している。パッケージングユニットは、長手方向(L)および短手方向(T)を有するシートの材料から作成される。シートは、内面2および外面3を有し、内面は、内側エッジ部5、8および外側エッジ部6、7を含むエッジ帯4を含む。パッケージングユニット1はまた、短手方向エッジ部4'、4"を含む。シートは、長手方向中心線(L1)および折り畳み軸9を有し、折り畳み軸はシートを第1の領域10および第2の領域11に分割する。図1に示すように、第1の領域10のエッジ帯4の外側エッジ部6には再密封可能な接着剤12が設けられているが、一方、第1の領域10のエッジ帯4の内側エッジ部5には接着剤がない。さらに、第2の領域11のエッジ帯4の内側エッジ部8には再密封可能な接着剤12が設けられているが、一方、第2の領域11のエッジ帯4の外側エッジ部7には接着剤がない。また、第1の領域10の短手方向エッジ部4'には再密封可能な接着剤12が設けられているが、一方、第2の領域11の短手方向エッジ部4"には接着剤がない。したがって、第1の領域10における再密封可能な接着剤パターンは、第2の領域11の再密封可能な接着剤パターンに対して相補的である。このことは次に、図2に示すように、シートが折り畳み軸9を中心に折り畳まれたとき、第1の領域10内の再密封可能な接着剤を有するエッジ部6は、第2の領域11内の接着剤のないエッジ部7と接触することとなり、第2の領域11内の再密封可能な接着剤12を有するエッジ部8は、第1の領域10内の接着剤のないエッジ部5と接触することとなり、第1の領域10内の再密封可能な接着剤12を有する短手方向エッジ部4'は、第2の領域11内の接着剤のない短手方向エッジ部4"と接触することとなることを意味する。図2から理解されるように、密封領域の幅は、再密封可能な接着剤部分6、8の幅の合計に一致する。こうした密封により、新しい衛生用品と処分された衛生用品の両方のためのしっかり密封したパッケージが保証される。
【００６６】
さらに、パッケージングユニット1は、第1の領域の短手方向エッジ部に、少なくとも部分的に中心線(L1)に沿って配置された、シート状に形成されたタブ13をさらに含む。例示の実質的に長方形のシートは、長手方向エッジ14、15および短手方向エッジ部4'、4"を含み、シート状に形成されたタブ13が短手方向エッジ部のうちの1つ(4')に配置されている。シート状に形成されたタブ13は舌状形をしており、舌の形の先端は中心線(L1)の近傍、または中心線(L1)に配置されている。前述のように、他の形状でもつまみタブ13を設けることを考えることができる。タブ13は、パッケージングユニットを閉じるための何らの接着剤も有しない2つの主要な面16、17を有する。図1に示すシート状に形成されたタブ13は、短手方向エッジ部から長手方向に延在し、タブ基部(B)からタブ(13)の外側エッジ18までの中心線(L1)に沿った伸長(A)を有する。タブ基部(B)は、第1の領域10において再密封可能な接着剤12を有する短手方向エッジ部4'から、接着剤のない面を有するタブ13を長手方向に分割する短手方向線(B)であり、どちらかの再密封可能な接着剤12に対して、タブ基部(B)は接触点を有している。接触点は最短の伸長(A)をもたらす、再密封可能な接着剤12のエッジにある。
【００６７】
このように、パッケージングユニット1は、パッケージングユニットの自由端エッジの中央部分に近接した部分または中央部分につまみ面を設けるように、パッケージングユニット1から外側に突出した部分に接着剤のないタブ13を有している。例示のシート状に形成されたタブ13は、容易に保持し場所を突き止めることができる。タブは包装された形式のパッケージングユニット1を開閉する手段を与える。ユーザは、パッケージングを開けるために、パッケージングユニットの自由端エッジの中央部分のタブ手段13を本能的にためそうとする。
【００６８】
シート状に形成されたタブ伸長(A)は、タブ基部(B)の前記エッジ部4'から外側エッジ18まで長手方向に0.5cm以上であり、1cm以上または2cm以上でもよい。伸長(A)は、3cm、4cm、または5cmまでよい。したがって、伸長は、たとえば0.5〜5cm、1〜4cm、または2〜3cmとすることができる。伸長(A)は、図面に例示したように、タブ13の最大長手方向伸長とすることができる。短手方向(T)のタブ13の幅は、タブ13の形状に依存し、タブ基部(B)とパッケージングユニット1の外側エッジ14、15の間の2つの交差点間短手方向距離までとすることができる。
【００６９】
図1において、および本明細書で先に述べたように、再密封可能な接着剤がエッジ部に提供され、それにより、シートが折り畳み軸9を中心にして折り畳まれたとき、再密封可能な接着剤は、衛生用品を封入したパッケージングユニット1を閉じる際の助けとなる。図2に、第1および第2の領域10、11が重ね合わせた構成となっており、それにより重ね合わせたシート層のパッケージングユニット1を提供する、少なくとも1つの折り畳み軸に沿って折り畳まれたシートを示す。
【００７０】
折り畳まれたパッケージングユニットにおいて、シート状に形成されたタブ13は、重ね合わせたシート層で形成されたエッジ19から突出している。タブ部分は折り畳まれたパッケージングユニットのエッジ19から延在し、既知の接着剤のない端部およびタブと比較すると、接着剤がなく、ユーザが手で容易につかむことができる自由端および材料のオーバーハングを提供する。シート状に形成されたタブ13の部分は、どのような他のパッケージングユニット領域10、11とも重なり合うことはない。重なり合ったシート層によって形成されたエッジ19から、タブ13の外側エッジ18までの、中心線(L1)に沿ったまたは中心線(L1)に平行な長手方向のタブ伸長(C:オーバーハング)は、0.5〜5cm、1〜4cm、または2〜3cmとすることができる。
【００７１】
吸収性物品の個々のパッケージングに対する最も一般的なパッケージングユニットは、長手方向中心線(L1)を持ち、長手方向(L)および短手方向(T)を有する長方形のシートの材料であり、このシートは、2つの折り畳み軸、長手方向エッジ、および短手方向エッジを含む。こうした実装形態を図3に示す。パッケージングユニット301は、このパッケージングユニットを第1の領域310、第2の領域311、および第3の領域312に分割する2つの折り畳み軸309、309'を含む長方形のシートである。各領域は、内側エッジ部305、305'、308、および、外側エッジ部306、306'、307を含む。図3に示すように、第1および第3の領域の外側エッジ部306、307にはそれぞれ再密封可能な接着剤12が提供され、一方、第1および第3の領域の内側エッジ部305、308にはそれぞれ接着剤がない。第2の領域311の再密封可能な接着剤パターンは、第1の領域310および第3の領域312の接着剤パターンに対して相補的であり、チェス盤模様を形成する。言い換えれば、第2の領域311の外側エッジ部306'には接着剤がなく、第2の領域311の内側エッジ部305'には再密封可能な接着剤が提供される。このことは次に、図4に示すように、シートが折り畳み軸309、309'を中心に再び折り畳まれたとき、第1の領域310および第3の領域312のどちらが第2の領域311と接触するようになるかに応じて、再密封可能な接着剤12を有する、第1の領域310の外側エッジ部306、または、第3の領域312の外側エッジ部307は、第2の領域311内の接着剤のない外側エッジ部306'と接触することとなることを意味する。したがって、第2の領域311内の再密封可能な接着剤12を有する内側エッジ部305'は、第1の領域310の接着剤のない内側エッジ部305、または、第3の領域312の接着剤のない内側エッジ部308と接触することになる。
【００７２】
図4から理解できるように、密封エリアの幅は、再密封可能な接着剤部分306、305'の幅の合計に一致する。パッケージングユニットは、第2の折り畳み軸309'を中心に折り畳むことができ、第3の領域312を第2の領域311に接触させ、外側エッジ部307、306'および内側エッジ部308、305'を密封する。その後、パッケージングユニットを第1の折り畳み軸309を中心に折り畳み、第1の領域310を第3の領域312の外面に接触させ、これによりパッケージングユニット(図4)を密封する。このようにして、パッケージングユニットは、密封した衛生的なパッケージを提供する。
【００７３】
パッケージングユニット301は、第1の領域の短手方向エッジ部304に、少なくとも部分的に中心線(L1)に沿って配置された、シート状に形成されたタブ313をさらに含む。図1に示したタブ13と同様に、図3および図4で示したシート状に形成されたタブ313は、エッジ部304から長手方向に延在し、タブ基部(B)からタブ313の外側エッジ318まで中心線(L1)に沿う伸長(A)を有する。タブ基部(B)は、第1の領域310において再密封可能な接着剤12を有する短手方向エッジ部304から、接着剤のない面316、317を有するタブ313を長手方向に分割する短手方向線(B)であり、どちらかの再密封可能な接着剤12に対して、タブ基部(B)は接触点を有している。接触点は最短の伸長(A)をもたらす、再密封可能な接着剤12のエッジにある。
【００７４】
密封したパッケージを得るために、パッケージングユニット301の短手方向エッジ部304には再密封可能な接着剤12が提供される。次に、折り畳むことにより、接着剤で覆われた短手方向エッジ部304を含む第1の領域310が蓋を形成することを確実にし、シート状に形成されたタブ313がその蓋から延在した状態で、短手方向エッジ部304に配置された再密封可能な接着剤が、パッケージングユニット301を密封する。対向する短手方向エッジのそれぞれに、再密封可能な接着剤を提供することも考えられる。
【００７５】
したがって、2つの折り畳み軸を有するパッケージングユニットにおいてもまた、タブ部分は、既知の接着剤がない端部およびタブと比較して、接着剤がなくユーザの手によって容易につかむことができる自由端および材料オーバーハングを提供するために、折り畳まれたパッケージングユニットのエッジ319から延在してもよい。シート状に形成されたタブ部13は、他のパッケージングユニット領域310〜312と重なることはない。折り畳まれたパッケージングユニット301のエッジ319からタブ313の外側エッジ318までの長手方向のタブ伸長(オーバーハング)は、本発明による、および、添付の特許請求の範囲によって定義される、任意の形状および伸長としてよい。(たとえば、1軸のパッケージングユニット用に説明した形状および寸法)
【００７６】
本発明によるパッケージングユニットが、処分するために使用されるとき、ユーザは、パッケージングユニット1、301およびその中に入れた汚れた物品を、畳むよりはむしろ巻き上げることを選ぶことができることに留意されたい。この巻き上げ動作は、つまみタブ13、313を設けることによって容易になされる。つまみタブ13、313がこうした巻き上げ動作で使用される場合、当業者は、タブが巻かれるパッケージングユニットの最も外側の一部であるようなパッケージングユニット1、301を巻くことを選ぶことができる。
【００７７】
例示のパッケージングユニット1、301は、長手方向(L)および短手方向(T)を有するシートの材料から作成される。この方法は、a)内面2、302および外面3,303を有し、内面2、302がエッジ帯を含む、シートの材料を提供するステップ、および、b)たとえば、図1〜図4に示すチェス盤模様のエッジ帯のエッジ部4'、6、8;304、306、305'、307に再密封可能な接着剤12を提供するステップを含む。
【００７８】
この方法は、第1および第2の領域10、11;311、312が重なり合った構成で、少なくとも1つの折り畳み軸9;309、309'に沿ってシートを折り畳むステップをさらに含み、それにより、本明細書で先に述べたように、重なり合ったシート層のパッケージングユニット1、301を提供することができる。このような折り畳まれたパッケージングユニット1、301において、タブ13、313は、本明細書で先に述べたように、オーバーハングを形成することができる。
【００７９】
当業者はよく理解しているように、詳細な説明は例示であると見なすべきであり、多くの実装形態および代替案は、添付の特許請求の範囲によって定義された本発明の範囲内で可能であると意図されている。たとえば、パッケージングユニットは、図面で示した長方形のほかに他の幾何学的形状を選ぶことができる。シートの幾何学的形状は、包装される衛生用品のタイプに応じて変わることができる。シートは、円形、三角形、正方形、長方形、または、包装される衛生用品に適した任意の他の形状とすることができる。しかし、シートは少なくとも1つの対称軸を有することが望ましい。
【００８０】
さらに、本発明は、パッケージングユニットを閉じるための再密封可能な接着剤を含むパッケージングユニットによって例証されてきたが、そこにおいては、折り畳まれたパッケージングユニット内の再密封可能な接着剤と接着剤のない部分との間の相補的接着のために、少なくとも長手方向エッジ帯に沿って(すなわち、長手方向(L)に沿って)再密封可能な接着剤と接着剤のない部分のチェス盤模様が形成される。パッケージングユニットを閉じるための、1つまたは複数の再密封可能な接着剤部分を塗布する他の方法もまた考察され得る。
【符号の説明】
【００８１】
A  タブ伸長
B  タブ基部、短手方向線
L  長手方向
L1  長手方向中心線
T  短手方向
1  パッケージングユニット
2  内面
3  外面
4  エッジ帯
4'  短手方向エッジ部
4"  短手方向エッジ部
5  内側エッジ部
6  外側エッジ部
7  外側エッジ部
8  内側エッジ部
9  折り畳み軸
10  第1の領域
11  第2の領域
12  再密封可能な接着剤
13  シート状に形成されたタブ、つまみタブ、タブ手段
14  長手方向エッジ
15  長手方向エッジ
16  主要な面
17  主要な面
18  外側エッジ
19  エッジ
301  パッケージングユニット
304  短手方向エッジ部
305  内側エッジ部
305'  内側エッジ部
306  外側エッジ部
306'  外側エッジ部
307  外側エッジ部
308  内側エッジ部
309  折り畳み軸
309'  折り畳み軸
310  第1の領域
311  第2の領域
312  第3の領域
313  シート状に形成されたタブ
316  接着剤のない面
317  接着剤のない面
318  外側エッジ
319  エッジ
【図１】
0006321831.tif 000002
【図２】
0006321831.tif 000003
【図３】
0006321831.tif 000004
【図４】
0006321831.tif 000005